(57)【要約】【課題】加湿暖房の効果を実感でき、かつ、操作が容易な加湿空調システムを提供する。【解決手段】加湿空調システム１Ａは、超音波振動子を利用して生成した加湿空気ＷＡを浴室５１に吹き出す加湿装置２と、浴室５１の空気を吸い込み、温風ＨＡまたは送風を吹き出す浴室空調装置３Ａを浴室５１の天井に備え、主制御部６ａは、洗面脱衣所５５に設置した主操作部４ａまたは浴室５１に設置した副操作部４ｂの操作で、加湿装置２と浴室空調装置３Ａを連動させて、浴室５１の加湿暖房を行う。【選択図】        図１
2008128626.tif 000002
【特許請求の範囲】
【請求項１】
空気を加湿して加湿空気を生成する加湿手段を有すると共に、前記加湿手段で生成した加湿空気を吹き出す送風手段を有した加湿装置と、
前記加湿装置が設置された室内の空気を吸い込んで同室に吹き出す循環送風手段を有すると共に、前記循環送風手段で吹き出す空気を加熱する加熱手段を有した空調装置と、
所定の操作で前記加湿装置を制御して加湿空気を吹き出させると共に、前記空調装置を制御して温風または送風を吹き出させる制御手段と
を備えたことを特徴とする加湿空調システム。
【請求項２】
前記制御手段は、前記空調装置により温風または送風を吹き出す暖房運転に連動させて、前記加湿装置により加湿空気を吹き出すタイミングを制御する
ことを特徴とする請求項１記載の加湿空調システム。
【請求項３】
前記制御手段は、前記空調装置からの温風の吹き出しと、前記加湿装置からの加湿空気の吹き出しを同時に開始する
ことを特徴とする請求項１または２記載の加湿空調システム。
【請求項４】
前記制御手段は、前記空調装置から温風を吹き出して暖房を行い、室温が加湿空気の吹き出しに適した温度に上昇すると、前記加湿装置から加湿空気を吹き出す
ことを特徴とする請求項１または２記載の加湿空調システム。
【請求項５】
前記加湿装置及び前記空調装置は、それぞれ浴室の天井に設置されて浴室の加湿暖房を行う
ことを特徴とする請求項１，２，３または４記載の加湿空調システム。
【請求項６】
前記加湿装置は、超音波振動子により水を振動させて発生させた微細化した水滴で、前記送風手段から送られる空気を加湿して加湿空気を生成する前記加湿手段、または、水加熱手段により水を加熱して発生させた水蒸気で、前記送風手段から送られる空気を加湿して加湿空気を生成する前記加湿手段を備えた
ことを特徴とする請求項１，２，３，４または５記載の加湿空調システム。
【発明の詳細な説明】
【技術分野】
【０００１】
本発明は、浴室やシャワー室等の室内の加湿暖房を行う加湿空調システムに関する。
【背景技術】
【０００２】
従来より、温水をミストとして浴室内に噴出し、浴室の加湿暖房を行うミスト装置が提案されている（例えば、特許文献１参照）。
【０００３】
このようなミスト装置は、単数もしくは複数のミストノズルを浴室の壁面等に設置して、給湯器から供給された温水をミストにして浴室内に噴出する構成である。
【０００４】
しかし、ミストの噴出のみで浴室を暖める場合、温度が十分に上がらないという問題があった。
【０００５】
そこで、暖房機による温風の吹き出しと併用してミストを噴出することで、短時間で浴室の温度を上げられるようにしたミスト装置が提案されている（例えば、特許文献２参照）。
【０００６】
また、加湿装置としては、超音波振動子により水を振動させ、微細化した水滴を発生させて空気を加湿する超音波加湿器や、ヒータで水を加熱して水蒸気を発生させて空気を加湿するヒータ式の加湿器も提案され、例えば、装置本体と室外機を備え、室外機に超音波加湿器を組み込んだ浴室乾燥機も提案されている（例えば、特許文献３参照）。
【０００７】
【特許文献１】特公平６−５９３０１号公報
【特許文献２】特開２００２−６１８６０号公報
【特許文献３】特許第３７５６０５５号公報
【発明の開示】
【発明が解決しようとする課題】
【０００８】
しかし、水を霧状のミストにして噴出し、加湿暖房を行う構成では、入浴者等が直接水滴を浴びることで体が濡れてしまい、発汗により体が濡れているのか、ミストにより体が濡れているのか判断しにくい状況になってしまい、加湿暖房を行っても、発汗を実感できないという問題があった。
【０００９】
これに対して、超音波加湿器やヒータ式の加湿器を利用すれば、直接水滴を浴び難くなって、加湿暖房による発汗は実感しやすくなるが、超音波加湿器で発生させた微細化した水滴やヒータ式の加湿器で発生させた水蒸気を送風する手段が備えられていないと、十分な加湿効果が得られないという問題があった。
【００１０】
また、微細化した水滴を送風するため、室外機に超音波加湿器を組み込んだ浴室乾燥機では、室外機と装置本体の間を給気及び排気ダクトで接続する必要があり、施工に手間が掛かると共に、設置場所に制約が多いという問題があった。
【００１１】
更に、加湿器と浴室乾燥機を別々の装置とすると、入浴者等はそれぞれの装置を操作する必要があり、操作が面倒であるという問題があった。
【００１２】
本発明は、このような課題を解決するためになされたもので、加湿暖房の効果を実感でき、かつ、操作が容易な加湿空調システムを提供することを目的とする。
【課題を解決するための手段】
【００１３】
上述した課題を解決するため、本発明の加湿空調システムは、空気を加湿して加湿空気を生成する加湿手段を有すると共に、加湿手段で生成した加湿空気を吹き出す送風手段を有した加湿装置と、加湿装置が設置された室内の空気を吸い込んで同室に吹き出す循環送風手段を有すると共に、循環送風手段で吹き出す空気を加熱する加熱手段を有した空調装置と、所定の操作で加湿装置を制御して加湿空気を吹き出させると共に、空調装置を制御して温風または送風を吹き出させる制御手段とを備えたことを特徴とする。
【００１４】
本発明の加湿空調システムでは、空調装置は、室内の空気を循環させて温風を吹き出し、室内を暖房する。また、加湿装置は、空気を加湿して生成した加湿空気を、空調装置により暖房が行われる室内に吹き出す。
【００１５】
そして、空調装置による室内の暖房と、加湿装置による加湿空気の供給が、所定の操作により連動して行われる。
【発明の効果】
【００１６】
本発明の加湿空調システムによれば、独立した構成の加湿装置と空調装置の双方を制御して、室内の加湿暖房が行われるので、加湿暖房を行う際に、加湿装置と空調装置をそれぞれ操作する必要がなく、利用者の操作の手間を低減することができる。
【００１７】
また、室内を加湿するために、加湿装置で生成された加湿空気を供給することで、加湿空調システムが浴室で使用される場合、入浴者が直接水滴を浴びることがなく、加湿暖房に伴う発汗効果を実感できる。
【００１８】
更に、加湿装置で加湿空気を送風できるので、十分な加湿効果を得ることができると共に、加湿空気を送風するために、他の空調装置と加湿装置をダクトを介して接続する必要がなく、施工が容易である。
【発明を実施するための最良の形態】
【００１９】
以下、図面を参照して本発明の加湿空調システムの実施の形態について説明する。
【００２０】
＜第１の実施の形態の加湿空調システムの構成例＞
図１は、第１の実施の形態の加湿空調システムの一例を示す構成図である。第１の実施の形態の加湿空調システム１Ａは、加湿空気ＷＡを吹き出す加湿装置２と、温風ＨＡまたは送風を吹き出す浴室空調装置３Ａを浴室５１の天井等に備え、加湿装置２と浴室空調装置３Ａを連動させて、浴室５１の加湿暖房が行われる。
【００２１】
図２は、第１の実施の形態の加湿装置２Ａの一例を示す構成図である。第１の実施の形態の加湿装置２Ａは、超音波振動子を利用した形態の加湿装置で、微細化した水滴Ｍを発生させて霧状の加湿空気ＷＡを生成する加湿部２０Ａと、図１に示す浴室５１から吸い込んだ空気ＲＡを循環させて、加湿空気ＷＡを吹き出す循環ファン部２１を備える。
【００２２】
加湿部２０Ａは加湿手段の一例で、水Ｗを貯める水槽２２Ａと、水槽２２Ａに貯水された水Ｗを振動させて微細化した水滴Ｍを発生させる超音波振動子２３Ａと、微細化されて拡散された水滴Ｍに、循環させる空気を混合させて加湿し、加湿空気ＷＡを生成する加湿風路２４を備える。また、加湿部２０Ａは、水槽２２Ａに給水を行う給水機構２２ｓと、水槽２２Ａの排水を行う排水機構２２ｅと、水槽２２Ａ内の水位を検出する水位センサ２２ｗを備える。
【００２３】
水槽２２Ａは、上面が開口して加湿風路２４に露出すると共に、底面に超音波振動子２３Ａを備え、水槽２２Ａに貯水された水Ｗを超音波振動子２３Ａで振動させることで微細化した水滴Ｍを発生させ、水槽２２Ａの上部の加湿風路２４へと拡散させる。
【００２４】
給水機構２２ｓは、図示しない上水管と接続され、例えば水槽２２Ａの上部に給水口２２ｓｗを備えると共に、給水ＳＷの有無を切り替える給水バルブ２２ｓｂを備える。
【００２５】
また、排水機構２２ｅは、浴室５１の図示しない排水管と接続され、水槽２２Ａの底面に排水口２２ｅｗを備えると共に、排水ＥＷの有無を切り替える排水バルブ２２ｅｂを備える。
【００２６】
水位センサ２２ｗは、水槽２２Ａ内にフロートを備え、フロートの位置で水位を検出する。
【００２７】
循環ファン部２１は送風手段の一例で、図示しないファンモータに回転駆動される多翼のファン２５と、風路を形成するファンケース２６を備える。
【００２８】
ファンケース２６は、ファン２５の軸方向に沿ってファン吸込口２６ａを備えると共に、ファン２５の接線方向に沿ってファン吹出口２６ｂを備え、循環ファン部２１は、ファン２５が回転駆動されると、ファン吸込口２６ａから空気を吸い込んで、ファン吹出口２６ｂから吹き出す。
【００２９】
循環ファン部２１は、ファン吹出口２６ｂが加湿部２０Ａの加湿風路２４と接続されている。これにより、水槽２２Ａに貯水された水Ｗを超音波振動子２３Ａで振動させることで微細化して拡散した水滴Ｍに、ファン２５が回転駆動されることでファン吹出口２６ｂから吹き出す空気が混合されて加湿され、加湿空気ＷＡが生成される。
【００３０】
加湿装置２Ａは、下面にフロントパネル２７を備える。フロントパネル２７は、加湿装置２Ａに着脱できるように構成され、循環ファン部２１のファン吸込口２６ａとつながる吸込グリル２７ａと、加湿風路２４とつながる吹出グリル２７ｂを備える。
【００３１】
これにより、加湿装置２Ａは、加湿部２０Ａと循環ファン部２１が駆動されると、吸込グリル２７ａから空気ＲＡを吸い込み、吸込グリル２７ａから吸い込んだ空気を加湿風路２４を通して加湿して、吹出グリル２７ｂから加湿空気ＷＡを吹き出す。
【００３２】
図３は、第２の実施の形態の加湿装置２Ｂの一例を示す構成図である。第２の実施の形態の加湿装置２Ｂは、ヒータを利用した形態の加湿装置で、水蒸気ＷＶを発生させて加湿空気ＷＡを生成する加湿部２０Ｂと、図１に示す浴室５１から吸い込んだ空気ＲＡを循環させて、加湿空気ＷＡを吹き出す循環ファン部２１を備える。
【００３３】
加湿部２０Ｂは加湿手段の一例で、水Ｗを貯める水槽２２Ｂと、水槽２２Ｂに貯水された水Ｗを加熱して水蒸気ＷＶを発生させる水加熱手段としてのヒータ２３Ｂと、循環させる空気を水蒸気ＷＶで加湿して加湿空気ＷＡを生成する加湿風路２４を備える。また、加湿部２０Ｂは、水槽２２Ｂに給水を行う給水機構２２ｓと、水槽２２Ｂの排水を行う排水機構２２ｅと、水槽２２Ｂ内の水位を検出する水位センサ２２ｗを備える。
【００３４】
水槽２２Ｂは、上面が開口して加湿風路２４に露出すると共に、内部にヒータ２３Ｂを備え、水槽２２Ｂに貯水された水Ｗをヒータ２３Ｂで加熱することで水蒸気ＷＶを発生させ、水槽２２Ｂの上部の加湿風路２４へと拡散させる。
【００３５】
給水機構２２ｓは、図示しない上水管と接続され、例えば水槽２２Ｂの上部に給水口２２ｓｗを備えると共に、給水ＳＷの有無を切り替える給水バルブ２２ｓｂを備える。
【００３６】
また、排水機構２２ｅは、浴室５１の図示しない排水管と接続され、水槽２２Ｂの底面に排水口２２ｅｗを備えると共に、排水ＥＷの有無を切り替える排水バルブ２２ｅｂを備える。
【００３７】
水位センサ２２ｗは、水槽２２Ｂ内にフロートを備え、フロートの位置で水位を検出する。
【００３８】
循環ファン部２１は送風手段の一例で、図示しないファンモータに回転駆動される多翼のファン２５と、風路を形成するファンケース２６を備える。
【００３９】
ファンケース２６は、ファン２５の軸方向に沿ってファン吸込口２６ａを備えると共に、ファン２５の接線方向に沿ってファン吹出口２６ｂを備え、循環ファン部２１は、ファン２５が回転駆動されると、ファン吸込口２６ａから空気を吸い込んで、ファン吹出口２６ｂから吹き出す。
【００４０】
循環ファン部２１は、ファン吹出口２６ｂが加湿部２０Ｂの加湿風路２４と接続されている。これにより、ファン２５が回転駆動されることでファン吹出口２６ｂから吹き出す空気が、水槽２２Ｂに貯水された水Ｗをヒータ２３Ｂで加熱することで発生させた水蒸気ＷＶで加湿され、加湿空気ＷＡが生成される。
【００４１】
加湿装置２Ｂは、下面にフロントパネル２７を備える。フロントパネル２７は、加湿装置２Ｂに着脱できるように構成され、循環ファン部２１のファン吸込口２６ａとつながる吸込グリル２７ａと、加湿風路２４とつながる吹出グリル２７ｂを備える。
【００４２】
これにより、加湿装置２Ｂは、加湿部２０Ｂと循環ファン部２１が駆動されると、吸込グリル２７ａから空気ＲＡを吸い込み、吸込グリル２７ａから吸い込んだ空気を加湿風路２４を通して加湿して、吹出グリル２７ｂから加湿空気ＷＡを吹き出す。
【００４３】
図４は、本実施の形態の浴室空調装置の一例を示す構成図であり、次に、浴室空調装置３Ａの構成及び動作例について説明する。
【００４４】
浴室空調装置３Ａは空調装置の一例で、浴室暖房換気乾燥装置等と称され、図１に示す浴室５１から空気ＲＡを吸い込んで吹き出すファン部３０と、ファン部３０から吹き出される空気を浴室５１に吹き出すか、排気するかを切り替える風路切換部３１と、浴室５１へ吹き出す空気を加熱するヒータ３２とを備える。
【００４５】
ファン部３０は循環送風手段の一例で、回転駆動される多翼のファン３３と、ファン３３を回転駆動するファンモータ３３ａと、風路を形成するファンケース３４を備える。
【００４６】
浴室空調装置３Ａは、ファン３３の軸方向に沿ったファンケース３４の下面にファン吸込口３４ａを備え、ファンケース３４は、ファン３３が回転駆動されることでファン吸込口３４ａから吸い込んだ空気を、ファン３３の接線方向に吹き出す風路を形成する。
【００４７】
風路切換部３１は、風路を切り換えるダンパ３５を備える。ダンパ３５は、後述するダンパモータの駆動力がカム３５ａを介して伝達され、軸３５ｂを支点に回転して開閉動作を行う。
【００４８】
浴室空調装置３Ａは、風路切換部３１の下方に吹出口３６ａを備えると共に、風路切換部３１の側方に排気口３６ｂを備え、ダンパ３５を図４（ａ）に示す循環位置とすると、排気口３６ｂへの風路が遮断され、ファン吸込口３４ａから吹出口３６ａへ連通した循環風路３１ａが形成される。
【００４９】
また、ダンパ３５を図４（ｂ）に示す換気位置とすると、吹出口３６ａへの風路が遮断され、ファン吸込口３４ａから排気口３６ｂへ連通した換気風路３１ｂが形成される。
【００５０】
更に、ダンパ３５を図４（ｃ）に示す分流位置とすると、ファン吸込口３４ａから吹出口３６ａへ連通した循環風路３１ａと、ファン吸込口３４ａから排気口３６ｂへ連通した換気風路３１ｂの双方が形成される。
【００５１】
ヒータ３２は加熱手段の一例で、吹出口３６ａにＰＴＣヒータ等の電気ヒータを備えて構成される。なお、吹出口３６ａに、風向を切り換える電動の吹出ルーバを備える構成としても良い。
【００５２】
浴室空調装置３Ａは、下面にフロントパネル３７を備える。フロントパネル３７は、浴室空調装置３Ａに着脱できるように構成され、ファン吸込口３４ａとつながる吸込グリル３７ａを備えると共に、吹出口３６ａとつながる吹出グリル３７ｂを備える。また、フロントパネル３７は、吸込グリル３７ａの裏側に図示しないフィルタが交換可能に取り付けられる。
【００５３】
また、浴室空調装置３Ａは、ファン吸込口３４ａに温度検出センサ３８が備えられ、フロントパネル３７の吸込グリル３７ａからファン吸込口３４ａに吸い込まれる空気の温度を検出することで、浴室５１の温度を検出可能となっている。
【００５４】
更に、浴室空調装置３Ａは、排気口３６ｂに排気ダクトジョイント３９を備える。
【００５５】
次に、浴室空調装置３Ａの動作について説明する。浴室空調装置３Ａは、ファンモータ３３ａによりファン３３が回転駆動されると、フロントパネル３７の吸込グリル３７ａからファン吸込口３４ａに空気ＲＡが吸い込まれる。
【００５６】
ダンパ３５の位置が図４（ａ）に示す循環位置であると、ファン吸込口３４ａから吹出口３６ａへの循環風路３１ａが形成されるので、吸込グリル３７ａから吸い込まれた空気ＲＡは、循環風路３１ａを通ってフロントパネル３７の吹出グリル３７ｂから吹き出される。
【００５７】
ヒータ３２は、循環風路３１ａの吹出口３６ａに配置されるので、ヒータ３２が通電されることで、循環風路３１ａを通る空気が温められて、温風ＨＡが吹出グリル３７ｂから吹き出す。
【００５８】
これにより、ダンパ３５を循環位置として、ファン部３０が駆動されると、ヒータ３２に通電した場合は、図１に示す浴室５１内の空気を循環させながら、浴室５１内に温風ＨＡが吹き出される。
【００５９】
ダンパ３５の位置が図４（ｂ）に示す換気位置であると、ファン吸込口３４ａから排気口３６ｂへの換気風路３１ｂが形成されるので、フロントパネル３７の吸込グリル３７ａから吸い込まれた空気は、換気風路３１ｂを通って排気口３６ｂから排気される。
【００６０】
これにより、ダンパ３５を換気位置として、ファン部３０が駆動されると、浴室５１内の湯気や湿気が排気される。
【００６１】
ダンパ３５の位置が図４（ｃ）に示す分流位置であると、ファン吸込口３４ａから吹出口３６ａへの循環風路３１ａと、ファン吸込口３４ａから排気口３６ｂへの換気風路３１ｂの双方が形成されるので、フロントパネル３７の吸込グリル３７ａから吸い込まれた空気は、一部は循環風路３１ａを通って吹出グリル３７ｂから浴室５１内に吹き出される。
【００６２】
また、吸込グリル３７ａから吸い込まれた空気の残部は、換気風路３１ｂを通って排気口３６ｂから排気される。
【００６３】
これにより、ダンパ３５を分流位置として、ファン部３０が駆動されると、ヒータ３２が非通電の場合は、浴室５１内の空気を循環させながら、浴室５１内の湯気や湿気が排気される。
【００６４】
また、ヒータ３２に通電した場合は、浴室５１内の空気を循環させて浴室５１内に温風を吹き出しながら、浴室５１内の湯気や湿気が排気される。
【００６５】
なお、浴室空調装置としては、循環ファン部と換気ファン部を別に備えて循環風路と換気風路が独立した構成等でも良い。
【００６６】
＜第１の実施の形態の加湿空調システムの設置例＞
次に、上述した加湿装置２と浴室空調装置３Ａを備えた加湿空調システム１Ａの設置例について、図１等を参照に説明する。
【００６７】
浴室５１の天井パネルには、図２で説明した超音波振動子を利用した形態の加湿装置２Ａまたは図３で説明したヒータを利用した形態の加湿装置２Ｂの本体が入る開口部が形成され、加湿装置２は、フロントパネル２７が露出するようにして、天井裏から吊り下げる形態、あるいは天井パネルに固定する形態等で設置される。
【００６８】
浴室５１の天井に取り付けられた加湿装置２は、図示しない上水管とつながる供給配管５２ａが、図２及び図３で説明した給水機構２２ｓと接続され、浴室５１の排水口からの図示しない排水管とつながる排水配管５２ｂが、排水機構２２ｅと接続される。
【００６９】
浴室５１の天井パネルには、図４で説明した浴室空調装置３Ａの本体が入る開口部が形成され、浴室空調装置３Ａは、フロントパネル３７が露出するようにして、天井裏から吊り下げる形態、あるいは天井パネルに固定する形態等で設置される。
【００７０】
浴室５１の天井に取り付けられた浴室空調装置３Ａは、図４に示す排気ダクトジョイント３９に排気ダクト５３が接続される。排気ダクト５３は、図示しない建物の外壁５４に取り付けた屋外グリル５３ａに接続され、浴室空調装置３Ａで浴室５１等から吸い込んだ空気を、排気ダクト５３を介して屋外に排気できる構成となっている。
【００７１】
加湿装置２と浴室空調装置３Ａは、浴槽５１ａと洗い場５１ｂの並び方向に沿って並列され、本例では、浴室空調装置３Ａが浴槽５１ａの上部に配置され、加湿装置２が洗い場５１ｂ側に配置される。
【００７２】
そして、加湿装置２の加湿空気ＷＡの吹き出し方向と、浴室空調装置３Ａの温風ＨＡ（送風）の吹き出し方向は、通常洗い場５１ｂ側に向けられている。
【００７３】
＜第１の実施の形態の加湿空調システムの制御機能例＞
図５は、第１の実施の形態の加湿装置２Ａを備えた加湿空調システム１Ａの制御系の一例を示す機能ブロック図であり、次に、上述した超音波振動子を利用した形態の加湿装置２Ａ及び浴室空調装置３Ａを備えた加湿空調システム１Ａの制御系の構成について説明する。
【００７４】
加湿空調システム１Ａは、浴室空調装置３Ａに主制御部６ａを備えると共に、加湿装置２Ａに副制御部６ｂを備える。また、加湿空調システム１Ａは、浴室５１に隣接した洗面脱衣所５５に主操作部４ａが設置されると共に、浴室５１に副制御部４ｂが設置される。
【００７５】
主制御部６ａは制御手段の一例で、図４で説明した浴室空調装置３Ａのファンモータ３３ａと、ダンパ３５を駆動するダンパモータ３５ｃと、ヒータ３２と、温度検出センサ３８等が接続される。また、主制御部６ａは、主操作部４ａが例えば有線で接続される。
【００７６】
副制御部６ｂは、図２で説明した加湿装置２Ａの超音波振動子２３Ａと、水位センサ２２ｗと、給水バルブ２２ｓｂと、排水バルブ２２ｅｂと、循環ファン部２１のファン２５を駆動するファンモータ２５ａ等が接続される。また、副制御部６ｂは、浴室空調装置３Ａの主制御部６ａに有線で接続されると共に、副操作部４ｂが例えば有線で接続される。
【００７７】
主制御部６ａと副制御部６ｂは、それぞれ図示しないＣＰＵやメモリ等を備え、主操作部４ａ及び副操作部４ｂでの操作と、予め記憶されているプログラムに従って、加湿装置２Ａと浴室空調装置３Ａを制御する。
【００７８】
すなわち、主制御部６ａと副制御部６ｂは、主操作部４ａあるいは副操作部４ｂでの所定の操作に従って通信を行い、主制御部６ａで浴室空調装置３Ａを制御すると共に、副制御部６ｂで加湿装置２Ａを制御して、浴室空調装置３Ａと加湿装置２Ａを連動させ、図１に示す浴室５１の加湿暖房を行う加湿暖房運転モードを実行する。
【００７９】
また、主制御部６ａは、浴室空調装置３Ａ単体の動作として、主操作部４ａでの所定の操作に従って浴室空調装置３Ａを制御し、浴室５１の暖房を行う暖房運転モードと、浴室５１の換気を行う換気運転モードと、浴室５１及び浴室５１内に干した衣類等の乾燥を行う乾燥運転モードと、入浴者等に対して送風を行う涼風運転モードを選択的に実行する。
【００８０】
＜第１の実施の形態の加湿空調システムの他の制御機能例＞
図６は、第２の実施の形態の加湿装置２Ｂを備えた加湿空調システム１Ａの制御系の一例を示す機能ブロック図であり、次に、上述したヒータを利用した形態の加湿装置２Ｂ及び浴室空調装置３Ａを備えた加湿空調システム１Ａの制御系の構成について説明する。なお、加湿装置２Ｂを備えた加湿空調システム１Ａで、浴室空調装置３Ａ側の制御機能は、図５で説明した機能と同じで良い。
【００８１】
加湿空調システム１Ａは、浴室空調装置３Ａに主制御部６ａを備えると共に、加湿装置２Ｂに副制御部６ｂを備える。副制御部６ｂは、図３で説明した加湿装置２Ｂのヒータ２３Ｂと、水位センサ２２ｗと、給水バルブ２２ｓｂと、排水バルブ２２ｅｂと、循環ファン部２１のファン２５を駆動するファンモータ２５ａ等が接続される。また、副制御部６ｂは、浴室空調装置３Ａの主制御部６ａに有線で接続されると共に、副操作部４ｂが例えば有線で接続される。
【００８２】
主制御部６ａと副制御部６ｂは、それぞれ図示しないＣＰＵやメモリ等を備え、主操作部４ａ及び副操作部４ｂでの操作と、予め記憶されているプログラムに従って、加湿装置２Ｂと浴室空調装置３Ａを制御する。
【００８３】
すなわち、主制御部６ａと副制御部６ｂは、主操作部４ａあるいは副操作部４ｂでの所定の操作に従って通信を行い、主制御部６ａで浴室空調装置３Ａを制御すると共に、副制御部６ｂで加湿装置２Ｂを制御して、浴室空調装置３Ａと加湿装置２Ｂを連動させ、図１に示す浴室５１の加湿暖房を行う加湿暖房運転モードを実行する。
【００８４】
また、主制御部６ａは、浴室空調装置３Ａ単体の動作として、上述したように、浴室５１の暖房を行う暖房運転モードと、浴室５１の換気を行う換気運転モードと、浴室５１及び浴室５１内に干した衣類等の乾燥を行う乾燥運転モードと、入浴者等に対して送風を行う涼風運転モードを選択的に実行する。
【００８５】
＜本実施の形態の加湿暖房運転モードの動作例＞
次に、第１の実施の形態の加湿装置２Ａを備えた加湿空調システム１Ａで実行される加湿暖房運転モードの一例について、各図を参照して説明する。
【００８６】
洗面脱衣所５５に設置されている主操作部４ａまたは浴室５１に設置されている副操作部４ｂが操作され、加湿暖房運転モードが選択されると、主制御部６ａは、図４（ａ）に示すようにダンパ３５を循環位置とすると共に、ヒータ３２に通電して、ファン部３０を駆動する。これにより、浴室空調装置３Ａでは、浴室５１内の空気を循環させながら、浴室５１内に温風ＨＡが吹き出される。
【００８７】
また、主制御部６ａは副制御部６ｂと通信を行い、加湿空気の吹き出しを開始する指令を出す。副制御部６ｂは、主制御部６ａからの指令に従い、加湿部２０Ａの超音波振動子２３Ａを駆動すると共に、循環ファン部２１のファンモータ２５ａを駆動する。
【００８８】
これにより、水槽２２Ａに貯水された水Ｗが振動して微細化された水滴Ｍは、水槽２２Ａの上部の加湿風路２４へと拡散する。そして、吸込グリル２７ａから吸い込んだ浴室５１の空気ＲＡが加湿風路２４を通って加湿され、吹出グリル２７ｂから霧状の加湿空気ＷＡが吹き出される。
【００８９】
このように、主操作部４ａまたは副操作部４ｂの操作で、浴室空調装置３Ａからは温風ＨＡが吹き出され、加湿装置２Ａからは加湿空気ＷＡが吹き出されることで、浴室５１が加湿暖房される。
【００９０】
この加湿暖房を実行する際に、加湿装置２Ａと浴室空調装置３Ａをそれぞれ操作する必要がなく、入浴者等の操作の手間を低減することができる。
【００９１】
また、加湿手段として超音波振動子を備えた加湿装置２Ａを使用することで、水がより一層微細化され、霧状の加湿空気ＷＡが浴室５１に吹き出されるので、水滴が直接噴き出されるノズル式のミスト噴霧発生装置と比較して、入浴者が直接水滴を浴びることがなく、加湿暖房に伴う発汗効果を実感できる。
【００９２】
更に、加湿装置２Ａと浴室空調装置３Ａは独立した装置であるので、加湿装置２Ａに、既存の浴室暖房換気乾燥装置を組み合わせて加湿空調システムを実現でき、１台の加湿装置２Ａに複数台の浴室空調装置３Ａを組み合わせた加湿空調システムも実現できる。
【００９３】
また、加湿装置２Ａと浴室空調装置３Ａが独立した装置で、それぞれが浴室５１の天井に設置されるので、装置が大型化せず、また、加湿装置２Ａと浴室空調装置３Ａとの間をダクトで接続する必要も無いので、施工が容易となる。
【００９４】
更に、加湿装置２Ａはヒータが不要であるので、消費電力を抑えることができる。
【００９５】
なお、本実施の形態の加湿空調システムでは、加湿装置２Ａの水位センサ２２ｗの出力を監視し、水槽２２Ａ内の水が無くならないように、給水機構２２ｓで給水が行われる。
【００９６】
すなわち、副制御部６ｂは、水位センサ２２ｗの出力から、水槽２２Ａ内の水位が所定量まで下がったことを検知すると、給水バルブ２２ｓｂを開き、給水口２２ｓｗから上水を水槽２２Ａに補給する。そして、水位センサ２２ｗの出力から、水槽２２Ａ内の水位が所定量まで上がったことを検知すると、給水バルブ２２ｓｂを閉じる。
【００９７】
なお、運転停止中のメンテナンス等で、水槽２２Ａ内の水を抜く必要がある場合は、副制御部６ｂは、排水バルブ２２ｅｂを開き、排水口２２ｅｗから水槽２２Ａ内の水を排水する。
【００９８】
次に、第２の実施の形態の加湿装置２Ｂを備えた加湿空調システム１Ａで実行される加湿暖房運転モードの一例について、各図を参照して説明する。
【００９９】
洗面脱衣所５５に設置されている主操作部４ａまたは浴室５１に設置されている副操作部４ｂが操作され、加湿暖房運転モードが選択されると、主制御部６ａは、図４（ａ）に示すようにダンパ３５を循環位置とすると共に、ヒータ３２に通電して、ファン部３０を駆動する。これにより、浴室空調装置３Ａでは、浴室５１内の空気を循環させながら、浴室５１内に温風ＨＡが吹き出される。
【０１００】
また、主制御部６ａは副制御部６ｂと通信を行い、加湿空気の吹き出しを開始する指令を出す。副制御部６ｂは、主制御部６ａからの指令に従い、加湿部２０Ｂのヒータ２３Ｂを駆動すると共に、循環ファン部２１のファンモータ２５ａを駆動する。
【０１０１】
これにより、水槽２２Ｂに貯水された水Ｗが加熱されて水蒸気ＷＶが発生し、水槽２２Ｂの上部の加湿風路２４へと拡散する。そして、吸込グリル２７ａから吸い込んだ浴室５１の空気ＲＡが加湿風路２４を通って加湿され、吹出グリル２７ｂから加湿空気ＷＡが吹き出される。
【０１０２】
このように、主操作部４ａまたは副操作部４ｂの操作で、浴室空調装置３Ａからは温風ＨＡが吹き出され、加湿装置２Ｂからは加湿空気ＷＡが吹き出されることで、浴室５１が加湿暖房される。
【０１０３】
従って、ヒータを利用した形態の加湿装置２Ｂを備えた加湿空調システムでも、加湿暖房を実行する際に、加湿装置２Ｂと浴室空調装置３Ａをそれぞれ操作する必要がなく、入浴者等の操作の手間を低減することができる。
【０１０４】
また、加湿手段としてヒータを備えた加湿装置２Ｂを使用することで、水蒸気を含んだ加湿空気ＷＡが浴室５１に吹き出されるので、ノズル式のミスト噴霧発生装置と比較して、入浴者が直接水滴を浴びることがなく、加湿暖房に伴う発汗効果を実感できる。
【０１０５】
更に、加湿装置２Ｂと浴室空調装置３Ａは独立した装置であるので、加湿装置２Ｂに、既存の浴室暖房換気乾燥装置を組み合わせて加湿空調システムを実現でき、１台の加湿装置２Ｂに複数台の浴室空調装置３Ａを組み合わせた加湿空調システムも実現できる。
【０１０６】
また、加湿装置２Ｂと浴室空調装置３Ａが独立した装置で、それぞれが浴室５１の天井に設置されるので、装置が大型化せず、また、加湿装置２Ｂと浴室空調装置３Ａとの間をダクトで接続する必要も無いので、施工が容易となる。
【０１０７】
更に、加湿装置２Ｂは水を加熱するので、雑菌の繁殖を抑制することができる。
【０１０８】
なお、本実施の形態の加湿空調システムでも、加湿装置２Ｂの水位センサ２２ｗの出力を監視し、水槽２２Ｂ内の水が無くならないように、給水機構２２ｓで給水が行われる。
【０１０９】
すなわち、副制御部６ｂは、水位センサ２２ｗの出力から、水槽２２Ｂ内の水位が所定量まで下がったことを検知すると、給水バルブ２２ｓｂを開き、給水口２２ｓｗから上水を水槽２２Ｂに補給する。そして、水位センサ２２ｗの出力から、水槽２２Ｂ内の水位が所定量まで上がったことを検知すると、給水バルブ２２ｓｂを閉じる。
【０１１０】
なお、運転停止中のメンテナンス等で、水槽２２Ｂ内の水を抜く必要がある場合は、副制御部６ｂは、排水バルブ２２ｅｂを開き、排水口２２ｅｗから水槽２２Ｂ内の水を排水する。
【０１１１】
＜本実施の形態の加湿暖房運転モードの変形例＞
次に、第１の実施の形態の加湿装置２Ａを備えた加湿空調システム１Ａで実行される加湿暖房運転モードの変形例について、各図を参照して説明する。
【０１１２】
洗面脱衣所５５に設置されている主操作部４ａまたは浴室５１に設置されている副操作部４ｂが操作され、加湿暖房運転モードが選択されると、主制御部６ａは、図４（ａ）に示すようにダンパ３５を循環位置とすると共に、ヒータ３２に通電して、ファン部３０を駆動する。これにより、浴室空調装置３Ａでは、浴室５１内の空気を循環させながら、浴室５１内に温風ＨＡが吹き出される。
【０１１３】
主制御部６ａは、浴室空調装置３Ａで暖房運転を開始して、温度検出センサ３８の出力から浴室５１内の温度が所定の温度、本例では、加湿空気の吹き出しに適した温度に上昇したと判断すると、副制御部６ｂと通信を行い、加湿空気の吹き出しを開始する指令を出す。
【０１１４】
副制御部６ｂは、主制御部６ａからの指令に従い、加湿部２０Ａの超音波振動子２３Ａを駆動すると共に、循環ファン部２１のファンモータ２５ａを駆動する。
【０１１５】
これにより、水槽２２Ａに貯水された水Ｗが振動して微細化された水滴Ｍは、水槽２２Ａの上部の加湿風路２４へと拡散する。そして、吸込グリル２７ａから吸い込んだ浴室５１の空気ＲＡが加湿風路２４を通って加湿され、吹出グリル２７ｂから加湿空気ＷＡが吹き出される。
【０１１６】
このように、浴室空調装置３Ａで浴室５１の暖房を行って浴室５１内の温度を上げてから、加湿装置２Ａで加湿空気の吹き出しが行われるので、浴室５１内が十分に温まる前に加湿空気が吹き出されることがなく、寒さを感じることを防ぐことができる。
【０１１７】
なお、本例では温度検出センサ３８で浴室５１の温度を検出して、加湿空気の吹き出しに適した温度になったか否かを判断したが、浴室空調装置３Ａによる暖房運転を開始してから、所定の時間が経過すると、加湿空気の吹き出しに適した室温になったと判断して、加湿装置２Ａで加湿空気の吹き出しを開始するようにしても良い。
【０１１８】
次に、第２の実施の形態の加湿装置２Ｂを備えた加湿空調システム１Ａで実行される加湿暖房運転モードの変形例について、各図を参照して説明する。
【０１１９】
洗面脱衣所５５に設置されている主操作部４ａまたは浴室５１に設置されている副操作部４ｂが操作され、加湿暖房運転モードが選択されると、主制御部６ａは、図４（ａ）に示すようにダンパ３５を循環位置とすると共に、ヒータ３２に通電して、ファン部３０を駆動する。これにより、浴室空調装置３Ａでは、浴室５１内の空気を循環させながら、浴室５１内に温風ＨＡが吹き出される。
【０１２０】
主制御部６ａは、浴室空調装置３Ａで暖房運転を開始して、温度検出センサ３８の出力から浴室５１内の温度が所定の温度、本例では、加湿空気の吹き出しに適した温度に上昇したと判断すると、ヒータ３２の通電を停止すると共に、ファン部３０の駆動を停止する。また、副制御部６ｂと通信を行い、加湿空気の吹き出しを開始する指令を出す。
【０１２１】
副制御部６ｂは、主制御部６ａからの指令に従い、加湿部２０Ｂのヒータ２３Ｂを駆動すると共に、循環ファン部２１のファンモータ２５ａを駆動する。
【０１２２】
これにより、水槽２２Ｂに貯水された水Ｗが加熱されて水蒸気ＷＶが発生し、水槽２２Ｂの上部の加湿風路２４へと拡散する。そして、吸込グリル２７ａから吸い込んだ浴室５１の空気ＲＡが加湿風路２４を通って加湿され、吹出グリル２７ｂから加湿空気ＷＡが吹き出される。
【０１２３】
このように、浴室空調装置３Ａで浴室５１の暖房を行って浴室５１内の温度を上げてから、加湿装置２Ｂで加湿空気の吹き出しが行われるので、浴室５１内が十分に温まる前に加湿空気が吹き出されることがなく、寒さを感じることを防ぐことができる。
【０１２４】
また、加湿装置２Ｂのヒータ２３Ｂが駆動されている間は、浴室空調装置３Ａのヒータ３２の駆動を停止することで、消費電力を抑えることができる。
【０１２５】
なお、本例でも温度検出センサ３８で浴室５１の温度を検出して、加湿空気の吹き出しに適した温度になったか否かを判断したが、浴室空調装置３Ａによる暖房運転を開始してから、所定の時間が経過すると、浴室空調装置３Ａの運転は中断すると共に、加湿装置２Ｂで加湿空気の吹き出しを開始するようにしても良い。
【０１２６】
＜第２の実施の形態の加湿空調システムの構成例＞
図７は、第２の実施の形態の加湿空調システムの一例を示す構成図である。第２の実施の形態の加湿空調システム１Ｂは、加湿空気ＷＡを吹き出す加湿装置２と、温風ＨＡまたは送風を吹き出す浴室空調装置３Ａを浴室５１の天井等に備え、加湿装置２と浴室空調装置３Ａを連動させて、浴室５１の加湿暖房が行われる。
【０１２７】
また、加湿装置２と浴室空調装置３Ａで一体のフロントパネル２８を備え、２台の装置を天井に設置しながら、フロントパネル２８は１枚として、加湿空調システム１Ｂを設置した浴室５１の見栄えを向上させる。
【０１２８】
ここで、加湿空調システム１Ｂを構成する加湿装置２は、図２で説明した超音波振動子を利用した形態の加湿装置２Ａでも良いし、図３で説明したヒータを利用した形態の加湿装置２Ｂでも良い。また、浴室空調装置３Ａは、図４で説明した形態のもので良い。
【０１２９】
フロントパネル２８は、加湿装置２及び浴室空調装置３Ａに着脱できるように構成され、図２または図３で説明した加湿装置２のファン吸込口２６ａとつながる吸込グリル２７ａと、加湿風路２４とつながる吹出グリル２７ｂを備える。
【０１３０】
また、図４で説明した浴室空調装置３Ａのファン吸込口３４ａとつながる吸込グリル３７ａを備えると共に、吹出口３６ａとつながる吹出グリル３７ｂを備える。
【０１３１】
各グリルの配置としては、例えば、浴槽５１ａと洗い場５１ｂの並び方向に沿って加湿装置２の吸込グリル２７ａと浴室空調装置３Ａの吸込グリル３７ａが並び、加湿装置２の吹出グリル２７ｂと浴室空調装置３Ａの吹出グリル３７ｂが並ぶ。また、浴槽５１ａの長手方向に沿って加湿装置２の吸込グリル２７ａと吹出グリル２７ｂが並び、浴室空調装置３Ａの吸込グリル３７ａと吹出グリル３７ｂが並ぶ。
【０１３２】
なお、加湿装置２と浴室空調装置３Ａで、吸込グリルと吹出グリルを隣り合う配置としないことで、加湿装置２から吹き出された加湿空気が、浴室空調装置３Ａで吸い込まれてしまうようなショートカットの発生を防ぐことが可能となる。
【０１３３】
＜第２の実施の形態の加湿空調システムの設置例＞
次に、加湿装置２と浴室空調装置３Ａでフロントパネル２８を一体とした加湿空調システム１Ｂの設置例について、図７等を参照に説明する。
【０１３４】
浴室５１の天井パネルには、図２で説明した超音波振動子を利用した形態の加湿装置２Ａまたは図３で説明したヒータを利用した形態の加湿装置２Ｂの本体と、図４で説明した浴室空調装置３Ａの本体が入る開口部が形成され、加湿装置２は、天井裏から吊り下げる形態、あるいは天井パネルに固定する形態等で設置される。
【０１３５】
また、浴室空調装置３Ａは、天井裏から吊り下げる形態、あるいは天井パネルに固定する形態等で設置される。
【０１３６】
そして、浴室５１の天井に取り付けられた加湿装置２と浴室空調装置３Ａは、下面にフロントパネル２８が取り付けられる。
【０１３７】
第２の実施の形態の加湿空調システム１Ｂにおける各種配管やダクトの接続は、第１の実施の形態の加湿空調システム１Ａと同様で良く、浴室５１の天井に取り付けられた加湿装置２は、図示しない上水管とつながる供給配管５２ａと、浴室５１の排水口からの図示しない排水管とつながる排水配管５２ｂが接続される。
【０１３８】
また、浴室５１の天井に取り付けられた浴室空調装置３Ａは、屋外グリル５３ａとつながる排気ダクト５３が接続され、浴室空調装置３Ａで浴室５１等から吸い込んだ空気を、排気ダクト５３を介して屋外に排気できる構成となっている。
【０１３９】
第２の実施の形態の加湿空調システム１Ｂにおける制御機能は、図５または図６で説明した第１の実施の形態の加湿空調システム１Ａの制御機能と同様で良い。また、第２の実施の形態の加湿空調システム１Ｂで実行される加湿暖房運転モードの動作例も、第１の実施の形態の加湿空調システム１Ａと同様で、主操作部４ａまたは副操作部４ｂの操作で、浴室空調装置３Ａからは温風ＨＡが吹き出され、加湿装置２からは加湿空気ＷＡが吹き出されることで、浴室５１が加湿暖房される。
【０１４０】
この加湿暖房を実行する際に、加湿装置２と浴室空調装置３Ａをそれぞれ操作する必要がなく、入浴者等の操作の手間を低減することができる。
【０１４１】
更に、第２の実施の形態の加湿空調システム１Ｂでは、独立した装置である加湿装置２と浴室空調装置３Ａで、フロントパネル２８は一体にしたので、加湿空調システムとして浴室５１の天井に露出するフロントパネルは１枚となり、見栄えが向上する。
【産業上の利用可能性】
【０１４２】
本発明は、浴室やシャワー室等の加湿暖房を行う空調システムに適用される。
【図面の簡単な説明】
【０１４３】
【図１】第１の実施の形態の加湿空調システムの一例を示す構成図である。
【図２】第１の実施の形態の加湿装置の一例を示す構成図である。
【図３】第２の実施の形態の加湿装置の一例を示す構成図である。
【図４】本実施の形態の浴室空調装置の一例を示す構成図である。
【図５】第１の実施の形態の加湿装置を備えた加湿空調システムの制御系の一例を示す機能ブロック図である。
【図６】第２の実施の形態の加湿装置を備えた加湿空調システムの制御系の一例を示す機能ブロック図である。
【図７】第２の実施の形態の加湿空調システムの一例を示す構成図である。
【符号の説明】
【０１４４】
１Ａ，１Ｂ・・・加湿空調システム、２・・・加湿装置、３Ａ・・・浴室空調装置、４ａ・・・主操作部、４ｂ・・・副操作部、６ａ・・・主制御部、６ｂ・・・副操作部、２０Ａ，２０Ｂ・・・加湿部、２１・・・循環ファン部、２３Ａ・・・超音波振動子、２３Ｂ・・・ヒータ、３０・・・ファン部、３２・・・ヒータ、５１・・・浴室
【図１】
2008128626.tif 000003
【図２】
2008128626.tif 000004
【図３】
2008128626.tif 000005
【図４】
2008128626.tif 000006
【図５】
2008128626.tif 000007
【図６】
2008128626.tif 000008
【図７】
2008128626.tif 000009